(57)【要約】 【課題】  受信時期を適切に制御して無駄な受信による電力消費を防止できる電波修正時計を提供すること。【解決手段】  電波修正時計は、電波受信手段１０と、通常受信時期を記憶可能な通常受信時期記憶部２３と、時計使用者が任意に設定した任意受信時期を記憶可能な任意受信時期記憶部２２Ａと、優先受信時期制御部２４とを備える。優先受信時期制御部２４は、任意受信時期記憶部２２Ａに今後の任意受信時期が記憶されている場合には、その任意受信時期に基づいて受信処理を実行させ、任意受信時期記憶部２２Ａに今後の任意受信時期が記憶されていない場合には、通常受信時期に基づいて受信処理を実行させる。使用者が今後の予定に合わせて適切な受信時期を任意受信時期記憶部２２Ａに設定すれば、通常受信時期に受信処理を実施することがなく、無駄な電力消費を防止でき、電池寿命の長い電波修正時計１を提供できる。【選択図】  図２
2006119009.tif 000002
【特許請求の範囲】
【請求項１】
電波受信手段と、
前記電波受信手段による受信処理時期として予め設定された通常受信時期を記憶可能な通常受信時期記憶部と、
前記受信処理時期として時計の使用者が任意に設定した任意受信時期を記憶可能な任意受信時期記憶部と、
前記任意受信時期記憶部に今後の任意受信時期が記憶されている場合には、その任意受信時期に基づいて前記電波受信手段で受信処理を実行させ、
前記任意受信時期記憶部に今後の任意受信時期が記憶されていない場合には、通常受信時期記憶部に記憶された通常受信時期に基づいて前記電波受信手段で受信処理を実行させる優先受信時期制御部と、
を備えることを特徴とする電波修正時計。
【請求項２】
各国の電波を受信可能な電波受信手段と、
前記電波受信手段による受信処理時期として予め設定された通常受信時期を記憶可能な通常受信時期記憶部と、
前記受信処理時期として時計の使用者が各国別に任意に設定した任意受信時期を記憶可能な任意受信時期記憶部と、
電波受信対象国を指定する国指定手段と、
前記任意受信時期記憶部に国指定手段で指定された指定国の今後の任意受信時期が記憶されている場合には、その任意受信時期に基づいて前記電波受信手段で受信処理を実行させ、
前記任意受信時期記憶部に指定国の今後の任意受信時期が記憶されていない場合には、通常受信時期記憶部に記憶された通常受信時期に基づいて前記電波受信手段で受信処理を実行させる優先受信時期制御部と、
を備えることを特徴とする電波修正時計。
【請求項３】
請求項２に記載の電波修正時計において、
前記通常受信時期記憶部には、各国別に予め設定された通常受信時期が記憶され、
前記優先受信時期制御部は、前記任意受信時期記憶部に指定国の今後の任意受信時期が記憶されていない場合には、通常受信時期記憶部に記憶された指定国の通常受信時期に基づいて前記電波受信手段で受信処理を実行させることを特徴とする電波修正時計。
【請求項４】
請求項２または請求項３に記載の電波修正時計において、
前記国指定手段は、受信した電波のフォーマットに基づいて電波の受信国を識別する受信国識別部を備え、識別された受信国を指定国とすることを特徴とする電波修正時計。
【請求項５】
請求項１から請求項４のいずれかに記載の電波修正時計において、
前記任意受信時期を設定して任意受信時期記憶部に記憶させる任意受信時期設定部を備えることを特徴とする電波修正時計。
【請求項６】
請求項１から請求項５のいずれかに記載の電波修正時計において、
前記任意受信時期記憶部は、複数の任意受信時期を記憶可能に構成されていることを特徴とする電波修正時計。
【請求項７】
請求項１から請求項６のいずれかに記載の電波修正時計において、
前記任意受信時期を表示可能な表示部を備えていることを特徴とする電波修正時計。
【請求項８】
電波受信手段と、
前記電波受信手段による受信処理時期として予め設定された通常受信時期を記憶可能な通常受信時期記憶部と、
前記受信処理時期として時計の使用者が任意に設定した任意受信時期を記憶可能な任意受信時期記憶部と、を備える電波修正時計の制御方法であって、
前記任意受信時期記憶部に今後の任意受信時期が記憶されている場合には、その任意受信時期に基づいて前記電波受信手段で受信処理を実行させ、
前記任意受信時期記憶部に今後の任意受信時期が記憶されていない場合には、通常受信時期記憶部に記憶された通常受信時期に基づいて前記電波受信手段で受信処理を実行させる優先受信時期制御工程を備えることを特徴とする電波修正時計の制御方法。
【請求項９】
各国の電波を受信可能な電波受信手段と、
前記電波受信手段による受信処理時期として予め設定された通常受信時期を記憶可能な通常受信時期記憶部と、
前記受信処理時期として時計の使用者が各国別に任意に設定した任意受信時期を記憶可能な任意受信時期記憶部と、
電波受信対象国を指定する国指定手段と、を備える電波修正時計の制御方法であって、
前記任意受信時期記憶部に国指定手段で指定された指定国の今後の任意受信時期が記憶されている場合には、その任意受信時期に基づいて前記電波受信手段で受信処理を実行させ、
前記任意受信時期記憶部に指定国の今後の任意受信時期が記憶されていない場合には、通常受信時期記憶部に記憶された通常受信時期に基づいて前記電波受信手段で受信処理を実行させる優先受信時期制御工程を備えることを特徴とする電波修正時計の制御方法。
【発明の詳細な説明】
【技術分野】
【０００１】
本発明は、電波修正時計および電波修正時計の制御方法に関する。
【背景技術】
【０００２】
長波標準電波のような外部の時刻データを受信して表示時刻を修正する電波修正時計において、過去の受信成功時期を記憶し、その記憶した時刻で自動受信を行うようにしたものが知られている（例えば、特許文献１参照）。この電波修正時計では、使用者の生活パターンに応じた自動受信を行うことができ、受信時刻が固定されている場合に比べて、受信に成功する確率を高くできる利点がある。
【０００３】
【特許文献１】特開平５−２４９２６２号公報
【発明の開示】
【発明が解決しようとする課題】
【０００４】
しかしながら、この電波修正時計では、あくまでも過去の受信パターンに基づいて今後の受信スケジュールを自動的に設定してしまうため、過去の生活パターンと異なる状況になった場合には最適な受信時期を設定できないという問題があった。
例えば、旅行等に出かけた場合には、前日までの受信時期では受信できないこともあるが、従来の電波修正時計では過去の受信パターンのまま受信してしまうので、受信に失敗する可能性があり、受信のために無駄な電力を消費してしまうという問題があった。
【０００５】
本発明の目的は、受信時期を適切に制御して無駄な受信による電力消費を防止できる電波修正時計およびその制御方法を提供することにある。
【課題を解決するための手段】
【０００６】
本発明の電波修正時計は、電波受信手段と、前記電波受信手段による受信処理時期として予め設定された通常受信時期を記憶可能な通常受信時期記憶部と、前記受信処理時期として時計の使用者が任意に設定した任意受信時期を記憶可能な任意受信時期記憶部と、前記任意受信時期記憶部に今後の任意受信時期が記憶されている場合には、その任意受信時期に基づいて前記電波受信手段で受信処理を実行させ、前記任意受信時期記憶部に今後の任意受信時期が記憶されていない場合には、通常受信時期記憶部に記憶された通常受信時期に基づいて前記電波受信手段で受信処理を実行させる優先受信時期制御部と、を備えることを特徴とする。
【０００７】
このような本発明によれば、時計の使用者は、自己の今後の予定に合わせて受信時期を設定したい場合には、任意受信時期記憶部に今後の任意受信時期を記憶すればよい。任意受信時期記憶部に任意受信時期のデータが記憶されていれば、優先受信時期制御部により、その受信時期に受信動作が実行される。
このため、時計の使用者が今後の予定に合わせて適切な受信時期を任意受信時期記憶部に記憶すれば、通常受信時期記憶部に記憶された通常受信時期による無駄な受信処理を実施することがなくなり、無駄な電力消費を防止でき、電池寿命の長い電波修正時計を提供できる。
さらに、任意受信時期記憶部に今後の任意受信時期が記憶されていない場合、例えば、使用者が設定した任意の受信時期が終了した場合には、優先受信時期制御部は、通常受信時期に基づいて受信処理が続行されるので、使用者がその後の受信時期の設定を忘れていても受信は継続して確実に続行でき、受信処理が長期間行われないことによる時刻指示精度の低下を防止できる。
【０００８】
例えば、使用者が標準電波を受信できない国に出張する場合、出張先では受信処理をしても無駄である。従って、任意受信時期記憶部に、次回の受信時期として、帰国後の日時を設定しておけば、出張中は受信処理が行われないので無駄な電力消費を防止できて電池寿命を長くできる。
また、隔週毎に夜勤と日勤がある場合、日勤の週は、通常受信時期記憶部に設定された通常の受信時期、例えば午前２時に受信処理を行い、夜勤の週は、任意受信時期記憶部に設定された受信時期、例えば夜勤明けで使用者が就寝する時間の午前１０時頃に受信処理を行うように設定すればよい。このようにすれば、今後の使用者の生活パターンに応じて受信時期を設定でき、無駄な電力消費を防止でき、電池寿命の長い電波修正時計を提供できる。
【０００９】
本発明の電波修正時計は、各国の電波を受信可能な電波受信手段と、前記電波受信手段による受信処理時期として予め設定された通常受信時期を記憶可能な通常受信時期記憶部と、前記受信処理時期として時計の使用者が各国別に任意に設定した任意受信時期を記憶可能な任意受信時期記憶部と、電波受信対象国を指定する国指定手段と、前記任意受信時期記憶部に国指定手段で指定された指定国の今後の任意受信時期が記憶されている場合には、その任意受信時期に基づいて前記電波受信手段で受信処理を実行させ、前記任意受信時期記憶部に指定国の今後の任意受信時期が記憶されていない場合には、通常受信時期記憶部に記憶された通常受信時期に基づいて前記電波受信手段で受信処理を実行させる優先受信時期制御部と、を備えることを特徴とする。
【００１０】
このような構成によれば、各国での受信環境に合わせた受信時期を任意に設定でき、海外に出張する場合にも、その出張先の環境や生活パターンに適した受信時期を細かく設定できる。このため、無駄な電力消費をより一層防止でき、電波修正時計の電池寿命を長くすることができる。
例えば、標準電波の受信は、電気製品等の影響による外部ノイズが少なくなる時間帯に行うことが好ましい。この外部ノイズが少なくなる時間帯は、日没時間などの相違により各国で相違する場合がある。従って、各国において標準電波を受信し易い時間帯に合わせて任意受信時期を設定すれば、受信に成功する確率を向上でき、その分、無駄な電力消費を低減できる。
さらに、任意受信時期記憶部に今後の任意受信時期が記憶されていない場合、例えば、使用者が設定した任意の受信時期が終了した場合には、優先受信時期制御部は、通常受信時期に基づいて受信処理が続行されるので、使用者がその後の受信時期の設定を忘れていても受信は継続して確実に続行でき、受信処理が長期間行われないことによる時刻指示精度の低下を防止できる。
【００１１】
ここで、前記通常受信時期記憶部には、各国別に予め設定された通常受信時期が記憶され、前記優先受信時期制御部は、前記任意受信時期記憶部に指定国の今後の任意受信時期が記憶されていない場合には、通常受信時期記憶部に記憶された指定国の通常受信時期に基づいて前記電波受信手段で受信処理を実行させることが好ましい。
【００１２】
通常受信時期としては、各国別に設定せずに一律に設定してもよい。すなわち、電波修正時計を現地の時刻に合わせて使用していれば、通常受信時期を午前２時などに一律に設定しても、電波を受信しやすい時刻になり、受信に成功する確率は比較的高くできる。
これに対し、本発明のように、通常受信時期記憶部に記憶される通常受信時期のデータを、各国毎に設定し、指定された国の通常受信時期のデータを用いて受信処理を実行すれば、任意受信時期が設定されていない場合も、各国に適した通常受信時期で受信処理を行うことができ、通常受信時期を各国毎に設定せずに一律に設定している場合に比べて受信に成功する確率をより一層向上できる。
【００１３】
また、前記国指定手段は、受信した電波のフォーマットに基づいて電波の受信国を識別する受信国識別部を備え、識別された受信国を指定国とすることが好ましい。
国指定手段としては、時計の使用者がリューズやボタンなどの外部操作部材を用いて手動で指定するものでもよい。これに対し、本発明のように、受信電波のフォーマットに基づいて受信国つまりその電波の時刻が利用される国を自動的に識別する受信国識別部を備えていれば、使用者が国を指定する操作を不要にでき、指定国を自動的にかつ正確に指定できるため、利便性を向上できる。
【００１４】
ここで、前記任意受信時期を設定して任意受信時期記憶部に記憶させる任意受信時期設定部を備えることが好ましい。
任意受信時期を任意受信時期記憶部に記憶させるには、電波修正時計とは別に設けられたコンピュータなどで任意受信時期を設定し、有線あるいは無線通信によって任意受信時期記憶部に記憶させてもよい。これに対し、本発明のように、電波修正時計に任意受信時期設定部を備えていれば、時計単独で任意受信時期を設定し記憶させることができ、外出先などでも設定操作を行うことができる。
【００１５】
また、前記任意受信時期記憶部は、複数の任意受信時期を記憶可能に構成されていることが好ましい。
この際、任意受信時期を各国毎に設定している場合には、前記任意受信時期記憶部は、各国毎にそれぞれ複数の任意受信時期を記憶可能にされている。
このように、任意に設定可能な受信時期を複数設定可能であれば、使用者は、今後の予定に基づいて、きめ細かく受信時期を設定でき、より適切な受信処理が可能になるので、電力消費をより一層低減できる。
【００１６】
また、本発明の電波修正時計は、前記任意受信時期を表示可能な表示部を備えていることが好ましい。
このような表示部を備えていれば、使用者は表示部に表示された任意受信時期のデータを見ながら任意受信時期を設定したり、設定した任意受信時期を後から確認することができ、設定作業や確認作業が容易になる。
【００１７】
本発明の制御方法は、電波受信手段と、前記電波受信手段による受信処理時期として予め設定された通常受信時期を記憶可能な通常受信時期記憶部と、前記受信処理時期として時計の使用者が任意に設定した任意受信時期を記憶可能な任意受信時期記憶部と、を備える電波修正時計の制御方法であって、前記任意受信時期記憶部に今後の任意受信時期が記憶されている場合には、その任意受信時期に基づいて前記電波受信手段で受信処理を実行させ、前記任意受信時期記憶部に今後の任意受信時期が記憶されていない場合には、通常受信時期記憶部に記憶された通常受信時期に基づいて前記電波受信手段で受信処理を実行させる優先受信時期制御工程を備えることを特徴とする。
【００１８】
本発明においても、時計の使用者が今後の予定に合わせて適切な任意受信時期を任意受信時期記憶部に記憶しておけば、通常受信時期記憶部に記憶された通常受信時期による無駄な受信処理を実施することがなくなり、無駄な電力消費を防止でき、電波修正時計の電池寿命を長くすることができる。
さらに、任意受信時期記憶部に今後の任意受信時期が記憶されていない場合には、通常受信時期に基づいて受信処理が続行されるので、使用者がその後の受信時期の設定を忘れていても受信は継続して確実に続行でき、受信処理が長期間行われないことによる時刻指示精度の低下を防止できる。
【００１９】
本発明の制御方法は、各国の電波を受信可能な電波受信手段と、前記電波受信手段による受信処理時期として予め設定された通常受信時期を記憶可能な通常受信時期記憶部と、前記受信処理時期として時計の使用者が各国別に任意に設定した任意受信時期を記憶可能な任意受信時期記憶部と、電波受信対象国を指定する国指定手段と、を備える電波修正時計の制御方法であって、前記任意受信時期記憶部に国指定手段で指定された指定国の今後の任意受信時期が記憶されている場合には、その任意受信時期に基づいて前記電波受信手段で受信処理を実行させ、前記任意受信時期記憶部に指定国の今後の任意受信時期が記憶されていない場合には、通常受信時期記憶部に記憶された通常受信時期に基づいて前記電波受信手段で受信処理を実行させる優先受信時期制御工程を備えることを特徴とする。
【００２０】
本発明によれば、各国での受信環境に合わせた受信時期を任意に設定でき、海外に出張する場合にも、その出張先の環境や生活パターンに適した受信時期を細かく設定できる。このため、無駄な電力消費をより一層防止でき、電波修正時計の電池寿命を長くすることができる。
さらに、任意受信時期記憶部に今後の任意受信時期が記憶されていない場合には、通常受信時期に基づいて受信処理が続行されるので、使用者がその後の受信時期の設定を忘れていても受信は継続して確実に続行でき、受信処理が長期間行われないことによる時刻指示精度の低下を防止できる。
【発明の効果】
【００２１】
本発明によれば、無駄な受信処理をしないように受信時期を適切に制御でき、電波修正時計の消費電力を低減できる。
【発明を実施するための最良の形態】
【００２２】
以下、本発明の実施の形態を図面に基づいて説明する。
［第１実施形態］
図１には、第１実施形態の無線機能付き電子時計である電波修正時計１の概略断面構造が示されている。なお、電波修正時計１は、腕時計タイプであるが、電波修正時計１としては置き時計や懐中時計などでもよい。特に、携帯して使用するために受信環境（生活環境）が変化する腕時計や懐中時計などの携帯して使用する各種の電波修正時計に広く適用できる。
【００２３】
電波修正時計１は、約円筒状に形成された外装ケース（胴）２と、外装ケース２の表面側に装着されたカバーガラス（風防）３と、外装ケース２の裏面側に着脱可能に取り付けられた裏蓋４とを備えている。
【００２４】
外装ケース２は、ステンレス鋼、真鍮、チタン等の金属材で構成されている。但し、外装ケース２としては、金属製のものに限らず、プラスチック製でもよい。さらには、外装ケース２は、プラスチック製の本体と、この本体の外周面を被覆する金属薄板とで構成されたものでもよい。少なくとも外表面が金属製であれば、外装ケース２の装飾性を向上できる。
また、外装ケース２は、図１に示すように１部材で構成されるものでもよいし、カバーガラス３を保持するガラス縁と、このガラス縁が取り付けられる胴との２部材で構成されるものでもよい。
【００２５】
裏蓋４は、無機ガラス４Ａと、このガラス４Ａを保持する金属製の保持リング４Ｂとで構成されている。但し、裏蓋４としては、セラミックスなどで構成されたものでもよく、非金属・非磁性材料等の標準電波等の無線情報や充電用の電磁波を通過させることができる材料で構成されていればよい。
【００２６】
外装ケース２内には、文字板５が配置されている。文字板５のカバーガラス３側には指針６が設けられ、裏蓋４側には指針６を駆動するアナログムーブメントやアンテナ１２が設けられている。なお、文字板５としては、プラスチック製のものでもよいが、金属板で構成されたものや、プラスチック製の本体表面に金属膜を塗布したものなど、少なくとも表面が金属製の文字板が意匠性・装飾性を向上できる点で好ましい。
【００２７】
ここで、アンテナ１２の断面中心位置から外装ケース２の最上部および最下部までの距離をそれぞれ距離Ｎ１、Ｎ２とした場合、アンテナ１２は、Ｎ１＞Ｎ２となる位置に配置されている。すなわち、アンテナ１２は、外装ケース２内において裏蓋４に近い位置に配置され、裏蓋４側から外装ケース２内に侵入する電波を受信しやすくなるように配置されている。さらに、前記距離Ｎ２がアンテナ１２の断面中心位置から文字板５までの距離Ｍ１よりも小さくなるようにし、アンテナ１２を文字板５よりも裏蓋４に近い位置に配置することが好ましい。
また、アンテナ１２は、フェライト棒にコイルを巻いたものなど、長波標準電波（例えば４０〜７７．５ｋＨｚ）を受信可能な構成とされている。また、その形状は、一般的なバーアンテナのように、棒状（直線状）のものでもよいし、平面円弧状に湾曲されたアンテナでもよい。
【００２８】
次に、電波修正時計１の回路構成について、図２を参照して説明する。
電波修正時計１は、時刻情報が重畳された長波標準電波（無線情報）を受信する電波受信手段１０と、運針制御手段３０とを備え、図示しない電源によって駆動される。なお、電源としては、ボタン型電池等の一次電池でもよいし、太陽電池や回転錘を用いた発電機と発電機で発電された電力を蓄電する蓄電池（二次電池）で構成されるものでもよい。
【００２９】
電波受信手段１０は、受信部１１と、アンテナ１２と、受信制御部１３と、受信部１１から出力された時刻情報を記憶可能な記憶部１４と、受信スケジュールを設定する受信スケジュール部１５とを備える。
【００３０】
受信部１１は、図示しない増幅回路、バンドパスフィルタ、復調回路、デコード回路等を備え、アンテナ１２で受けた長波標準電波を処理して時刻情報（タイムコード）を取り出し、その時刻情報が正確であるかを判断して記憶部１４に記憶させることができるように構成されている。
なお、受信した時刻情報が正確であるかの判断方法は、従来の電波修正時計で利用されている各種方法が採用できる。例えば、６８分等のように非存在の時間や日になっていないかという点と、各時刻データ同士がそれぞれ予想される時刻を表しているか、つまり連続して受信した時刻データであればそれぞれが１分毎の時刻データとなっていると予測されるため、各データがそのような時刻になっているかという点とから、正確な時刻データとなっているかを確認する方法などが採用できる。
【００３１】
受信制御部１３は、後述するように、受信スケジュール部１５から指示される受信時期（スケジュール）内容に応じて受信部１１の動作を制御する。
【００３２】
運針制御手段３０は、発振部３１、分周部３２、内部カウンタ３３、比較部３４、修正制御部３５、駆動制御部３６、モータ３９、輪列４０、針位置検出手段４１を備え、指針６の駆動を制御している。
なお、本実施形態では、指針６として、時針６Ａ、分針６Ｂ、秒針６Ｃを備える。そして、これらの指針６により時刻表示手段が構成されている。また、指針６を作動する輪列４０、モータ３９、駆動制御部３６により、時刻表示手段を作動する駆動部が構成されている。
【００３３】
そして、輪列４０としては、時針６Ａおよび分針６Ｂを駆動する時分輪列４０Ａと、秒針６Ｃを駆動する秒輪列４０Ｂとを備える。
モータ３９としては、時分輪列４０Ａを駆動する時分モータ３９Ａと、秒輪列４０Ｂを駆動する秒モータ３９Ｂとを備える。
【００３４】
発振部（発振回路）３１は、水晶振動子等の基準発振源を高周波発振させ、分周部（分周回路）３２はその発振信号を分周して所定の基準信号（例えば１Ｈｚの信号）として出力する。内部カウンタ３３は、この基準信号をカウントして現時刻を計時する。したがって、これらの各発振部３１，分周部３２、内部カウンタ３３により内部時刻を計時する内部時刻計時部が構成されている。
【００３５】
駆動制御部３６は、内部カウンタ３３のカウンタ値に応じて各モータ３９Ａ〜３９Ｂを駆動する駆動パルスを出力する。例えば、内部カウンタ３３内に、秒カウンタ、時分カウンタを設け、各カウンタ値がカウントアップすると、駆動制御部３６は、対応するモータ３９Ａ，３９Ｂに駆動パルスを出力するように構成されている。
【００３６】
比較部３４は、受信部１１によって標準電波が受信された際に、記憶部１４に記憶された標準電波の時刻情報と、針位置検出手段４１で検出された指針６の位置つまり指針６が指示する時刻情報とを比較し、指針６が指示する時刻が受信された現時刻と異なる場合には、その時刻差情報を修正制御部３５に出力する。
【００３７】
なお、各指針６の位置検出を行う針位置検出手段４１は、各輪列４０Ａ，４０Ｂの所定の歯車の回転角度を検出するなど、従来から公知の各種の針位置検出装置を利用して検出すればよい。
修正制御部３５は、前記時刻差情報に基づいて内部カウンタ３３を現時刻まで更新する。この内部カウンタ３３の更新に伴い、駆動制御部３６を介して各モータ３９Ａ，３９Ｂが駆動され、指針６が現時刻に修正される。
【００３８】
受信スケジュール部１５は、外部操作部２１と、任意受信時期設定部２２と、通常受信時期記憶部２３と、優先受信時期制御部２４と、表示部２５とを備えている。任意受信時期設定部２２は、任意受信時期記憶部２２Ａを備えている。
【００３９】
外部操作部２１は、電波修正時計１に設けられるリューズと第１、２ボタンとで構成される。本実施形態では、リューズ操作により任意受信時期の設定モードに切り替えられ、第１および第２のボタンにより、具体的な受信時期が設定されるように構成されている。ここで、任意受信時期とは、電波受信手段１０による受信処理時期として、時計の使用者が任意に設定した受信処理時期を意味する。
【００４０】
任意受信時期設定部２２は、外部操作部２１のリューズを２段目に引き出した際に作動され、第１、第２ボタンや表示部２５を用いて任意受信時期を設定し、任意受信時期記憶部２２Ａに記憶する。
なお、本実施形態の任意受信時期設定部２２は、任意受信時期として、今後の受信間隔を設定する方法と、具体的な受信時期を設定する方法とを選択して設定できるように構成されている。
【００４１】
受信間隔による設定とは、今後の受信を、例えば、０．５日間隔、１日間隔、２日間隔、３日間隔などに設定することである。このような受信間隔を設定した場合には、設定された受信間隔と、その受信間隔での受信回数または任意の受信処理を終了する日時などの終了条件データとが任意受信時期記憶部２２Ａに記憶される。
一方、具体的な受信時期による設定とは、○年○月○日○時○分のように、今後の受信時刻を具体的に設定することである。このような受信時期を設定した場合には、設定された受信時期が任意受信時期記憶部２２Ａに記憶される。
なお、任意受信時期設定部２２は、複数の受信間隔や受信時期を設定できるように構成されている。
【００４２】
通常受信時期記憶部２３は、電波受信手段１０による受信処理時期として予め時計メーカで設定された通常受信時期（定期受信時期）が記憶されている。通常受信時期には、基本受信時期として、例えば毎日午前２時が設定され、基本受信時期で受信できなかった場合の再受信時期として、１時間毎に繰り下がる時刻（午前３時、４時、５時…）が設定されている。その設定時刻は、所定の操作を行うことで表示部２５に表示できるように構成されている。
【００４３】
優先受信時期制御部２４は、任意受信時期設定部２２の任意受信時期記憶部２２Ａに今後の任意受信時期が設定されている場合は、通常受信時期記憶部２３に記憶された通常受信時期に優先して任意受信時期を受信制御部１３に通知するように構成されている。
すなわち、任意受信時期記憶部２２Ａに、２日間隔等の受信間隔が設定されている場合には、優先受信時期制御部２４は、この受信間隔を受信制御部１３に通知する。また、使用者の操作で任意受信時期記憶部２２Ａに記憶されていた受信間隔が削除された場合など、今後の任意受信時期のデータが記憶されていない場合には、優先受信時期制御部２４は通常受信時期記憶部２３に記憶されていた通常受信時期のデータを受信制御部１３に通知する。
【００４４】
また、任意受信時期記憶部２２Ａに、具体的な受信時期（○年○月○日○時○分）が設定されている場合には、優先受信時期制御部２４は、その受信時期になるまでは、任意受信時期記憶部２２Ａに記憶された受信時期を受信制御部１３に通知する。このため、その任意受信時期になるまでは受信動作が行われないことになる。
一方、任意受信時期記憶部２２Ａに記憶された受信時期での受信処理が終了した場合など、今後の任意受信時期のデータが記憶されていない場合には、優先受信時期制御部２４は通常受信時期記憶部２３に記憶されていた通常受信時期のデータを受信制御部１３に通知する。
なお、任意受信時期記憶部２２Ａに複数の任意受信時期データが記憶されている場合には、すべての受信時期が経過するまでは、任意受信時期記憶部２２Ａに記憶された任意受信時期が受信制御部１３に通知され、通常受信時期に優先して受信処理が行われる。
【００４５】
そして、受信制御部１３は、優先受信時期制御部２４から任意受信時期が通知されている場合にはその任意受信時期に応じて受信部１１を駆動し、標準電波の受信処理を実行することになる。
一方、受信制御部１３は、優先受信時期制御部２４から通常受信時期が通知されている場合には、通常受信時期に応じて受信部１１を駆動し、標準電波の受信処理を実行することになる。
【００４６】
表示部２５は、電波修正時計１の文字板５部分に組み込まれた液晶パネルや有機ＥＬパネル等で構成される。表示部２５は、任意受信時期の設定用の情報や、任意受信時期記憶部２２Ａや通常受信時期記憶部２３に記憶された情報を表示するとともに、受信処理時には受信の成功、失敗等の受信状態も表示できるようにされている。
例えば、任意受信時期を設定する場合には、図３に示すように、受信時期設定欄２７を表示できるようにされている。なお、受信時期設定欄２７は、年設定欄２７１，月設定欄２７２、日設定欄２７３、時設定欄２７４、分設定欄２７５が設けられている。また、表示部２５には、複数の受信時期を設定できるように、１回目から３回目の受信時期設定欄２７Ａ〜２７Ｃが設けられている。なお、この受信時期設定欄２７はスクロール可能とされ、４回目以降の受信時期設定欄２７も順次表示可能に構成されている。
【００４７】
［任意受信時期の設定］
次に、本実施形態において、任意受信時期を設定する手順について説明する。
本実施形態の電波修正時計１では、リューズを０段目にすると通常使用状態となり、１段目にすると針時刻修正となり、２段目に引き出すと受信時期を任意に設定可能な任意受信時期設定モードに切り替わるように構成されている。
このため、任意受信時期を設定するには、まず、リューズを２段目にする。すると、図３に示すように、表示部２５に受信時期設定欄２７が表示される。
【００４８】
次に、外部操作部２１の第１のボタンを押す。すると、１回目の受信時期設定欄２７Ａの年設定欄２７１が変更可能になる。ここで、第２のボタンを押すと、ボタンを押す毎に予め設定されている年が順次表示され、設定したい年が表示された時点で再度第１のボタンを押すと、その時点で表示されていた年が設定される。なお、任意受信時期の設定は、通常、現時点から１年未満であることが多いため、年は、内部カレンダーの年情報を参照し、現在の年とその２〜３年後までの年を順次表示するように設定すればよい。
以降、同様に、第１のボタンで、設定対象の欄２７２〜２７５を選択し、第２のボタンで選択対象のデータを順次表示し、再度第１のボタンを押すことで表示されていたデータを設定する。
以上により、１回目の受信時期情報が設定される。すなわち、第１のボタンによって、設定欄２７１〜２７５が順次繰り返し選択され、第２のボタンによって各選択欄におけるデータの入力が行われ、再度、第１のボタンを押すことでデータ入力が確定される。
【００４９】
２回目の任意受信時期情報を設定する場合には、第１および第２のボタンを同時に押す。これにより、２回目の受信時期設定欄２７Ｂが選択される。以降は、１回目の受信時期設定欄２７Ａと同じ操作により任意受信時期を設定すればよい。
【００５０】
任意受信時期の設定が終了したら、リューズを１段目や０段目に押し戻すことで、任意受信時期の設定モードが解除される。
また、リューズを２段目に引き出した際に、既に任意受信時期記憶部２２Ａに受信時期データが記憶されている場合には、表示部２５にはその受信時期データが表示され、使用者が確認できるようにされている。
【００５１】
なお、任意受信時期としては、図３に示すような具体的な受信時期を設定する方法の他、受信間隔を設定してもよい。この場合には、リューズやボタンの所定の操作によって、表示部２５に受信間隔を指定する欄を表示し、表示される受信間隔を選択することで設定すればよい。また、任意受信間隔を設定する場合には、その任意受信間隔での制御処理を終了する条件、例えば、任意受信間隔での受信回数や、終了日時も設定できるようにすればよい。
【００５２】
［受信制御処理］
次に、本実施形態における受信制御処理に関し、図４〜７をも参照して説明する。
まず、電波修正時計１は、優先受信時期制御部２４を用いて、任意受信時期記憶部２２Ａに今後の受信処理を行うための任意受信時期のデータが設定（記憶）されているか否かを確認する（ステップ１、以下ステップを「Ｓ」と略す）。
ここで、任意受信時期が設定されていない場合には、通常の受信制御処理を実行する（Ｓ２）。
【００５３】
一方、任意受信時期が設定されている場合には、さらに、その設定データが受信間隔データであるか、任意の受信時期データであるかを確認する（Ｓ３）。
任意受信時期として受信間隔データが設定されている場合には、任意受信間隔制御処理を実行する（Ｓ４）。また、任意受信時期として受信時期データが設定されている場合には、任意受信時期制御処理を実行する（Ｓ５）。
【００５４】
［通常受信制御処理］
通常受信制御処理では、優先受信時期制御部２４は、図５に示すように、まず、通常受信時期記憶部２３に設定された通常受信時期データを参照して通常受信時期になったか否かを確認する（Ｓ１１）。
【００５５】
通常受信時期になれば、優先受信時期制御部２４は、受信制御部１３に対し受信時期になったことを通知し、受信制御部１３は受信部１１を作動して受信処理を実行する（Ｓ１２）。なお、優先受信時期制御部２４は、通常受信時期記憶部２３に設定された基本受信時期での受信に失敗している場合には、基本受信時期で失敗した場合に設定される再受信時期と現在の時刻とを比較して受信時期に達したか否かを判断する。例えば、午前２時に設定されていた基本受信時期での受信に失敗した場合には、再受信時期である午前３時に達したか否かを判断すればよい。
【００５６】
次に、受信部１１は、受信に成功したか否かを判断する（Ｓ１３）。
そして、受信に成功した場合には、受信した時刻情報が記憶部１４に記憶され、比較部３４、修正制御部３５により、受信時刻情報に基づいて内部カウンタ３３が修正され、各モータ３９が駆動されて時刻が修正される（Ｓ１４）。
一方、Ｓ１１で受信時期に達していなかった場合や、Ｓ１３で受信に失敗した場合には、時刻修正を行わず、通常受信制御処理Ｓ２を終了し、図４のＳ１の処理に戻る。
【００５７】
［任意受信間隔制御処理］
任意受信間隔制御処理Ｓ４では、優先受信時期制御部２４は、図６に示すように、まず、任意受信時期記憶部２２Ａに設定された任意の受信間隔での受信時期に達したか否かを判断する（Ｓ２１）。例えば、任意受信間隔が２日間隔になっている場合には、前回の受信処理後、２日経過したか否かを判断すればよい。
【００５８】
Ｓ２１で受信時期に達している場合には、優先受信時期制御部２４は、受信制御部１３に対し受信時期になったことを通知し、受信制御部１３は受信部１１を作動して受信処理を実行する（Ｓ２２）。
そして、受信部１１は、受信に成功したか否かを判断する（Ｓ２３）。受信に成功した場合には、前述の通り、受信時刻情報に基づいて内部カウンタ３３が修正され、各モータ３９が駆動されて時刻が修正される（Ｓ２４）。
【００５９】
優先受信時期制御部２４は、Ｓ２１において受信時期に達していない場合と、Ｓ２３で受信に失敗した場合と、Ｓ２４での時刻修正処理後には、任意受信間隔制御処理の終了条件を満たすか否かを判断する（Ｓ２５）。この終了条件の判断は、例えば、任意受信時期記憶部２２Ａに、任意受信間隔の繰り返し実行回数が設定されている場合には、その設定回数分の処理が実行されたか否かで判断すればよいし、任意受信間隔の終了日時が設定されている場合には、その終了日時に達したか否かで判断すればよい。
【００６０】
ここで、優先受信時期制御部２４は、Ｓ２５の終了条件を満たさない場合には、Ｓ２１〜Ｓ２５の処理を繰り返す。一方、Ｓ２５の終了条件を満たした場合には、任意受信間隔制御処理Ｓ４を終了し、図４のＳ１の処理に戻る。
【００６１】
［任意受信時期制御処理］
任意受信時期制御処理Ｓ５では、優先受信時期制御部２４は、図７に示すように、まず、任意受信時期記憶部２２Ａに設定された任意受信時期になったか否かを判断する（Ｓ３１）。
ここで、任意受信時期になれば、優先受信時期制御部２４は、受信制御部１３に対し受信時期になったことを通知し、受信制御部１３は受信部１１を作動して受信処理を実行する（Ｓ３２）。
【００６２】
そして、受信部１１は、受信に成功したか否かを判断する（Ｓ３３）。受信に成功した場合には、前述の通り、受信時刻情報に基づいて内部カウンタ３３が修正され、各モータ３９が駆動されて時刻が修正される（Ｓ３４）。
【００６３】
優先受信時期制御部２４は、Ｓ３１において受信時期に達していない場合と、Ｓ３３で受信に失敗した場合と、Ｓ３４での時刻修正処理後には、任意受信時期制御処理の終了条件を満たすか否かを判断する（Ｓ３５）。この終了条件の判断は、現時点以降の任意受信時期が記憶されているか否かで判断すればよい。今後の任意受信時期が設定されている場合には、Ｓ３１に戻り、上記Ｓ３１〜Ｓ３５の処理を繰り返す。
一方、今後の任意受信時期が設定されていない場合には、任意受信時期制御処理Ｓ５を終了し、図４のＳ１の処理に戻る。
【００６４】
以降、図４のＳ１〜Ｓ５の処理を繰り返すことで、今後の任意受信時期が記憶されていればその任意受信時期に基づいて受信処理が行われ、今後の任意受信時期が記憶されていなければ通常受信時期に基づいて受信処理が行われることになる。従って、本実施形態では、Ｓ１〜Ｓ５の各処理により優先受信時期制御工程が構成されている。
【００６５】
このような本実施形態によれば、次のような効果がある。
(1) 電波修正時計１は、任意受信時期設定部２２の任意受信時期記憶部２２Ａに任意受信時期データが記憶されている場合には、通常受信時期記憶部２３の受信時期に優先して前記任意受信時期データに基づいて受信スケジュールを制御する優先受信時期制御部２４を備えているので、時計の使用者が今後の予定に合わせて適切な受信時期を任意受信時期記憶部２２Ａに設定すれば、無駄な受信処理を実施することがなくなり、無駄な電力消費を防止でき、電池寿命の長い電波修正時計を提供できる。
【００６６】
(2) 優先受信時期制御部２４は、任意受信時期での受信処理が終了した場合など、この後の任意受信時期のデータが任意受信時期記憶部２２Ａに記憶されていない場合には、自動的に通常受信時期記憶部２３に記憶された通常受信時期データに基づいて受信処理を行うため、使用者がその後の受信時期の設定を忘れていても受信は継続して確実に続行できる。すなわち、使用者は、任意の受信時期で受信したい部分のみ設定すればよく、設定されていない場合には、通常受信時期記憶部２３に記憶されたデータに基づいて自動的に受信処理が継続されるので、電波修正時計１における受信処理を確実に継続でき、使用者の意志に反して受信処理が長期間行われないことによる時刻指示精度の低下を防止できる。
【００６７】
(3) 任意受信時期記憶部２２Ａには複数の任意受信時期データを記憶できるので、使用者は、今後の予定に基づいて、きめ細かく受信時期を設定でき、より適切な受信処理が可能になるので、消費電力の低減、つまり節電効果も一層向上できる。
【００６８】
(4) 電波修正時計１に任意受信時期設定部２２を設けたので、時計単独で任意受信時期を設定・記憶させることができ、外出先でも設定操作を行うことができる。このため、使用者は思いついた際に即座に任意受信時期を設定でき、会社や自宅のパソコンなどを利用して設定する場合に比べて利便性を向上できる。
【００６９】
(5) 本実施形態の任意受信時期設定部２２では、任意受信時期記憶部２２Ａに記憶する任意受信時期データとして、受信間隔を設定する方法と、具体的な日時を設定する方法との２つの方法で行えるので、電波修正時計１の使用者は設定し易い方法を採用でき、任意受信時期データの設定を容易に行うことができる。
【００７０】
(6) 任意の受信時期を設定するための表示部２５を備えているので、使用者は表示部２５に表示された時期情報を見ながら受信時期を設定でき、設定処理が容易に行うことができる。また、設定した任意受信時期を表示部２５に表示することで確認作業も容易に行うことができる。
【００７１】
(7) 外装ケース２や文字板５の表面を金属製にできるので、時計１の装飾性や意匠性を向上できる。また、外装ケース２や文字板５が金属製のために標準電波等が通過できなくても、非金属・非磁性材で構成された裏蓋４を通して標準電波や電磁波をアンテナ１２で確実に受信できる。
【００７２】
［第２実施形態］
本発明の第２実施形態について、図８，９を参照して説明する。なお、本実施形態において、前記第１実施形態と同一または同様の構成要素には同一符号を付し、説明を省略する。
第２実施形態の電波修正時計１は、図８に示すように、受信スケジュール部１５の任意受信時期設定部２２に、受信国指定部２２Ｂが追加されている点と、受信スケジュール部１５に受信国識別部２６が追加されている点と、任意受信時期記憶部２２Ａに各国毎の任意受信時期が記憶されている点が前記第１実施形態と相違し、他の構成は第１実施形態と同一であるため説明を省略する。
【００７３】
受信国指定部２２Ｂは、任意受信時期記憶部２２Ａに記憶する任意受信時期データを各国別に指定できるようにするものである。具体的には、受信国指定部２２Ｂは、図９に示すように、表示部２５に国を選択する国選択欄２８を表示させ、外部操作部２１の第１のボタンで国選択欄２８を選択させ、第２のボタンを押して国の候補を順次表示させ、再度第１のボタンを押すことで国の選択を確定するように構成されている。
そして、本実施形態では、選択された国の任意受信時期データを受信時期設定欄２７に入力することで、各国別の任意受信時期データを設定して任意受信時期記憶部２２Ａに記憶できるように構成されている。
【００７４】
受信国識別部２６は、各国電波フォーマット記憶部２６Ａを備えている。各国電波フォーマット記憶部２６Ａには、各国における標準電波のフォーマット（タイムコードフォーマット）が記憶されている。
すなわち、各国の標準電波においては、ポジションマーカの有無や位置、各ビットのデータの有無などがそれぞれ相違する。従って、受信国識別部２６は、受信部１１で受信された電波のフォーマットを各国電波フォーマット記憶部２６Ａに記憶されたタイムコードフォーマットと比較し、どこの国の電波を受信しているかを識別する。そして、受信国識別部２６は、識別結果（受信国信号）を優先受信時期制御部２４や受信制御部１３に出力する。
【００７５】
優先受信時期制御部２４は、受信国識別部２６から出力される受信国信号に対応する国の任意受信時期データが任意受信時期記憶部２２Ａに記憶されていれば、その任意受信時期データを受信制御部１３に出力し、任意受信時期記憶部２２Ａに記憶されていなければ、通常受信時期記憶部２３の各国毎の通常受信時期データを受信制御部１３に出力する。
従って、本実施形態では、受信国識別部２６により、電波受信対象国を指定する国指定手段が構成されている。
【００７６】
［任意受信時期の設定］
本実施形態における任意受信時期を設定手順は、受信国指定部２２Ｂで指定された国毎に任意受信時期を設定できる以外は、前記第１実施形態と同じ手順で行われる。
また、本実施形態では、時計メーカにおいて予め設定された各国毎の通常受信時期が通常受信時期記憶部２３に記憶されている。
【００７７】
［受信制御処理］
次に、本実施形態における受信制御処理に関し、図１０をも参照して説明する。
まず、電波修正時計１は、現在の受信国を識別する（Ｓ１０１）。例えば、旅行などで日本からドイツに移動した場合、電波修正時計１の使用者は、通常、現地時間に変更するため、ドイツに移動した時点で強制受信操作を行う。受信制御部１３は、強制受信操作時の当初は、日本での受信を想定して周波数などを設定するが、受信に失敗した場合には、受信周波数などを制御して他の国の電波の受信を試みる。この受信処理は、受信に成功した際に受信国識別部２６から出力される受信国信号を受けた時点つまり受信国を識別可能な標準電波を受信した時点で終了する。なお、現在の受信国を外部操作部２１の操作によって使用者が指定してもよい。
【００７８】
優先受信時期制御部２４は、現在の受信国が判明すると、その国の任意受信時期データが任意受信時期記憶部２２Ａに設定されているか否かを確認する（Ｓ１０２）。
ここで、任意受信時期が設定されていない場合には、通常受信時期記憶部２３に記憶された通常の受信処理を実行する（Ｓ１０３）。この通常受信制御処理Ｓ１０３は、通常受信時期記憶部２３に記憶された指定国（受信国）の通常受信時期を用いる点以外は、図５に示す第１実施形態の処理と同じであるため説明を省略する。
【００７９】
一方、任意受信時期が設定されている場合には、さらに、その設定データが受信間隔データであるか、任意の受信時期データであるかを確認する（Ｓ１０４）。
任意受信時期として受信間隔データが設定されている場合には、その国の受信間隔制御処理を実行する（Ｓ１０５）。また、任意受信時期として受信時期データが設定されている場合には、受信時期制御処理を実行する（Ｓ１０６）。
なお、受信間隔制御処理Ｓ１０５、受信時期制御処理Ｓ１０６は、基本的に図６，７に示す第１実施形態の処理と同じであるため、説明を省略する。すなわち、任意の受信間隔での受信時期に達したか否かの判断処理Ｓ２１や、任意の受信時期に達したか否かの判断処理Ｓ３１において、各国別の任意受信時期データを利用する点を除き、前記第１実施形態と同一の処理が行われる。
【００８０】
このような第２実施形態においても、前記第１実施形態と同様の構成を有することにより、その構成によって前記第１実施形態と同じ作用効果を奏することができる。
(2-1) 任意受信時期記憶部２２Ａに各国別の任意受信時期データを記憶し、優先受信時期制御部２４は受信国識別部２６から指定された国の任意受信時期データに基づいて受信処理を制御しているので、各国の実情に応じた受信時期で受信処理を行うことができる。このため、各国での受信処理を成功する確率を向上でき、各国に移動した場合でも無駄な受信処理を防止でき、無駄な電力消費を軽減できて電池寿命を長くすることができる。
【００８１】
(2-2) さらに、通常受信時期記憶部２３に記憶される通常受信時期も各国別に設定したので、通常受信処理時も受信に成功する確率を向上でき、無駄な受信処理を防止できる。
【００８２】
(2-3) 国指定手段として受信国識別部２６を設けたので、現在、どの国の電波を受信できるのかを自動的に判別できる。このため、使用者が国を指示する必要が無く、操作性を向上できるとともに、その国に応じた受信処理タイミングに自動的に制御できるため、確実に標準電波を受信でき、電波修正時計１の指示時刻の精度を向上できる。
【００８３】
尚、本発明は、上述の各実施形態にのみ限定されるものではなく、本発明の要旨を逸脱しない範囲内において種々変更を加えることができる。
例えば、任意受信時期を表示可能な表示部２５としては、前記実施形態のような液晶パネルや有機ＥＬパネル等で構成されたものに限らず、指針６と目盛を利用して各受信時期を表示可能なものでもよい。この場合、文字板５部分に液晶パネル等を設置する必要が無く、コストを低減できる。
【００８４】
また、前記実施形態では、任意受信時期設定部２２を電波修正時計１に設けていたが、例えば、電波修正時計１とは別体のコンピュータによって任意受信時期設定部２２を構成してもよい。この場合には、コンピュータにおいて任意受信時期を設定し、そのデータを任意受信時期記憶部２２Ａに通信を利用して書き込めばよい。なお、コンピュータから任意受信時期記憶部２２Ａにデータを書き込む通信方法としては、データ通信用の端子を電波修正時計１に設けて有線により行ってもよいし、アンテナ１２を介して無線通信によって行ってもよい。このような別体のコンピュータを利用すれば、任意の受信時期の入力操作を容易に行うことができる。
【００８５】
前記実施形態では、任意受信時期記憶部２２Ａに複数の任意受信時期データを記憶可能に設定していたが、任意受信時期データを１つのみ記憶可能に設定してもよい。例えば、任意受信時期を受信間隔で設定する場合には、通常は、１つの任意受信時期のみを設定しても任意受信処理を問題なく実行できる。
【００８６】
国指定手段としては、受信国識別部２６に限らず、外部操作部２１を操作して使用者が指定するものでもよい。この場合、海外に旅行したい場合に、予め使用者が国を指定することで、受信周波数などをその国に合わせることができ、その国で最初に受信処理を行う場合も効率よく受信することができる。
また、第２実施形態では、通常受信時期記憶部２３に各国別の通常受信時期を記憶していたが、各国別の通常受信時期を記憶せず、各国共通の通常受信時期を記憶してもよい。
【００８７】
電波修正時計１内の各手段等、特に各制御部は、各種論理素子等のハードウェアで構成されたものや、ＣＰＵ（中央処理装置）、メモリ（記憶装置）等を備えたコンピュータを時計１内に設け、このコンピュータに所定のプログラムやデータ（各記憶部に記憶されたデータ）を組み込んで各手段を実現させるように構成したものでもよい。
例えば、電波修正時計１内にＣＰＵやメモリを配置してコンピュータとして機能できるように構成し、このメモリに所定の制御プログラムやデータをインターネット等の通信手段や、ＣＤ−ＲＯＭ、メモリカード等の記録媒体を介してインストールし、このインストールされたプログラムでＣＰＵ等を動作させて、各手段を実現させればよい。
なお、電波修正時計１に所定のプログラム等をインストールするには、その電波修正時計１にメモリカードやＣＤ−ＲＯＭ等を直接差し込んで行ってもよいし、これらの記憶媒体を読み取る機器を外付けで電波修正時計１に接続してもよい。さらには、ＬＡＮケーブル、電話線等を電波修正時計１に接続して通信によってプログラム等を供給しインストールしてもよいし、アンテナ１２を備えていることから無線によってプログラムを供給してインストールしてもよい。
【００８８】
このような記録媒体やインターネット等の通信手段で提供される制御プログラム等を電波修正時計１に組み込めば、プログラムの変更のみで前記各発明の機能を実現できるため、工場出荷時あるいは使用者が希望する制御プログラムを選択して組み込むこともできる。この場合、プログラムの変更のみで制御形式の異なる各種の電波修正時計１を製造できるため、部品の共通化等が図れ、バリエーション展開時の製造コストを大幅に低減できる。
電波修正時計としての機能、つまり計時手段、受信手段、時刻修正手段等の各構成は、前記実施形態のものに限らず、従来から知られている電波修正時計の各手段が利用できる。
【００８９】
また、本発明の電波修正時計１は、アナログ式の時計に限らず、デジタル式の時計や、アナログ表示用の指針とデジタル表示用の液晶表示部との両方を有する時計でもよい。さらに、電波修正時計１としては、腕時計や懐中時計等の携帯時計、掛時計や置時計等の設置型時計等、様々な時計に適用できる。
【００９０】
さらに、本発明の電波修正時計としては、時計単体に限らず、ビデオ、テレビ、携帯電話、パソコン、電子おもちゃ、タイマーなどに組み込まれるものでもよい。特に、本発明は、任意受信時期を設定することで無駄な受信処理を無くして消費電力を軽減できるので、商用電源から常時電力を受けることができない携帯型の機器に組み込まれる電波修正時計に適している。
【００９１】
本発明の他の実施形態としての電波修正時計の制御プログラムは、電波受信手段と、前記電波受信手段による受信処理時期として予め設定された通常受信時期を記憶可能な通常受信時期記憶部と、前記受信処理時期として時計の使用者が任意に設定した任意受信時期を記憶可能な任意受信時期記憶部と、を備える電波修正時計の制御プログラムであって、電波修正時計内に組み込まれたコンピュータに、前記任意受信時期記憶部に今後の任意受信時期が記憶されている場合には、その任意受信時期に基づいて前記電波受信手段で受信処理を実行させ、前記任意受信時期記憶部に今後の任意受信時期が記憶されていない場合には、通常受信時期記憶部に記憶された通常受信時期に基づいて前記電波受信手段で受信処理を実行させる優先受信時期制御工程を実行させるための電波修正時計の制御プログラムである。
【００９２】
また、本発明の他の実施形態としての電波修正時計の制御プログラムは、各国の電波を受信可能な電波受信手段と、前記電波受信手段による受信処理時期として予め設定された通常受信時期を記憶可能な通常受信時期記憶部と、前記受信処理時期として時計の使用者が各国別に任意に設定した任意受信時期を記憶可能な任意受信時期記憶部と、電波受信対象国を指定する国指定手段と、を備える電波修正時計の制御プログラムであって、電波修正時計内に組み込まれたコンピュータに、前記任意受信時期記憶部に国指定手段で指定された指定国の今後の任意受信時期が記憶されている場合には、その任意受信時期に基づいて前記電波受信手段で受信処理を実行させ、前記任意受信時期記憶部に指定国の今後の任意受信時期が記憶されていない場合には、通常受信時期記憶部に記憶された通常受信時期に基づいて前記電波受信手段で受信処理を実行させる優先受信時期制御工程を実行させるための電波修正時計の制御プログラムである。
【００９３】
本発明の他の実施形態としての記憶媒体は、前記各制御プログラムを記録したコンピュータ読み取り可能な記憶媒体である。
【図面の簡単な説明】
【００９４】
【図１】本発明の第１実施形態である電波修正時計を示す断面図。
【図２】第１実施形態の構成を示すブロック図。
【図３】第１実施形態における表示部を示す図。
【図４】第１実施形態における受信処理を示すフローチャート。
【図５】第１実施形態における通常受信制御処理を示すフローチャート。
【図６】第１実施形態における任意受信間隔制御処理を示すフローチャート。
【図７】第１実施形態における任意受信時期制御処理を示すフローチャート。
【図８】第２実施形態の構成を示すブロック図。
【図９】第２実施形態における表示部を示す図。
【図１０】第２実施形態における受信処理を示すフローチャート。
【符号の説明】
【００９５】
１…電波修正時計、２…外装ケース、３…カバーガラス、４…裏蓋、５…文字板、６…指針、１０…電波受信手段、１１…受信部、１２…アンテナ、１３…受信制御部、１４…記憶部、１５…受信スケジュール部、２１…外部操作部、２２…任意受信時期設定部、２２Ａ…任意受信時期記憶部、２３…通常受信時期記憶部、２４…優先受信時期制御部、２５…表示部、２６…受信国識別部、２６Ａ…各国電波フォーマット記憶部、２７…受信時期設定欄、２８…国選択欄、３０…運針制御手段。
【図１】
2006119009.tif 000003
【図２】
2006119009.tif 000004
【図３】
2006119009.tif 000005
【図４】
2006119009.tif 000006
【図５】
2006119009.tif 000007
【図６】
2006119009.tif 000008
【図７】
2006119009.tif 000009
【図８】
2006119009.tif 000010
【図９】
2006119009.tif 000011
【図１０】
2006119009.tif 000012